(57)【要約】      （修正有）【課題】発電部及び蓄電池を負荷よりも下流側に接続した場合に、発電部及び蓄電池を好適に連携させる電力供給システムを提供する。【解決手段】家庭内負荷２よりも上流側に接続されて負荷追従運転により発電可能な燃料電池４と、家庭内負荷２よりも下流側に接続されるパワコン８と、パワコン８を介して家庭内負荷２よりも下流側に接続される太陽光発電部７と、パワコン８を介して家庭内負荷２よりも下流側に接続される蓄電池６と、パワコン８を制御して太陽光発電部７からの電力の出力及び蓄電池６の充放電を行う制御部１３と、を具備する。太陽光発電部７で発電が行われている場合であって、且つ、燃料電池４で発電が行われている場合であって、且つ、燃料電池４で発電された電力だけでは家庭内負荷２の消費電力を賄えなくなり、系統電力３０から電力が買電される場合には、太陽光発電部７及び蓄電池６からの電力を家庭内負荷２へ供給する。【選択図】図１
2016052156.tif 000002
【特許請求の範囲】
【請求項１】
負荷よりも上流側に接続されて負荷追従運転により発電可能な燃料電池と、
前記負荷よりも下流側に接続されるパワーコンディショナと、
前記パワーコンディショナを介して前記負荷よりも下流側に接続されて自然エネルギーを利用して発電可能な発電部と、
前記パワーコンディショナを介して前記負荷よりも下流側に接続されて前記発電部からの電力を充放電可能な蓄電池と、
前記パワーコンディショナを制御して前記発電部からの電力の出力及び前記蓄電池の充放電を行う制御部と、
を具備する電力供給システムであって、
前記制御部は、
前記発電部で発電が行われている場合であって、
且つ、前記燃料電池で発電が行われている場合であって、
且つ、前記燃料電池で発電された電力だけでは前記負荷の消費電力を賄えなくなり、系統電力から電力が買電される場合には、
前記発電部及び／又は前記蓄電池からの電力を前記負荷へと供給する、
ことを特徴とする電力供給システム。
【請求項２】
前記制御部は、
前記発電部からの電力を前記蓄電池からの電力に優先して前記負荷へと供給し、
前記発電部で発電された電力に余剰が生じた場合には、当該余剰した電力を前記蓄電池に充電する、
ことを特徴とする請求項１に記載の電力供給システム。
【請求項３】
負荷よりも上流側に接続されて負荷追従運転により発電可能な燃料電池と、
前記負荷よりも下流側に接続されるパワーコンディショナと、
前記パワーコンディショナを介して前記負荷よりも下流側に接続されて自然エネルギーを利用して発電可能な発電部と、
前記パワーコンディショナを介して前記負荷よりも下流側に接続されて前記発電部からの電力を充放電可能な蓄電池と、
前記パワーコンディショナを制御して前記発電部からの電力の出力及び前記蓄電池の充放電を行う制御部と、
を具備する電力供給システムであって、
前記制御部は、
前記発電部で発電が行われている場合であって、
且つ、前記燃料電池で発電が行われている場合であって、
且つ、前記燃料電池で発電された電力だけで前記負荷の消費電力を賄えている場合には、
前記発電部からの電力を前記蓄電池に充電する、
ことを特徴とする電力供給システム。
【請求項４】
前記制御部は、
前記蓄電池が充電する電力を前記発電部で発電された電力よりも大きくし、前記燃料電池で発電される電力を前記負荷追従運転により所定の定格電力とする、
ことを特徴とする請求項３に記載の電力供給システム。
【請求項５】
負荷よりも上流側に接続されて負荷追従運転により発電可能な燃料電池と、
前記負荷よりも下流側に接続されるパワーコンディショナと、
前記パワーコンディショナを介して前記負荷よりも下流側に接続されて自然エネルギーを利用して発電可能な発電部と、
前記パワーコンディショナを介して前記負荷よりも下流側に接続されて前記発電部からの電力を充放電可能な蓄電池と、
前記パワーコンディショナを制御して前記発電部からの電力の出力及び前記蓄電池の充放電を行う制御部と、
を具備する電力供給システムであって、
前記制御部は、
前記発電部で発電が行われている場合であって、
且つ、前記燃料電池で発電が行われていない場合には、
前記発電部からの電力を前記蓄電池からの電力に優先して前記負荷へと供給し、
前記発電部で発電された電力だけでは前記負荷の消費電力を賄えなくなり、系統電力から電力が買電される場合には、
前記蓄電池からの電力を前記負荷へと供給する、
ことを特徴とする電力供給システム。
【請求項６】
前記制御部は、
前記発電部で発電された電力に余剰が生じた場合には、当該余剰した電力を前記蓄電池に充電する、
ことを特徴とする請求項５に記載の電力供給システム。
【請求項７】
前記制御部は、
前記蓄電池に電力を充電する場合に、
前記発電された電力だけでは前記負荷の消費電力を賄えなくなり、前記系統電力から電力が買電されるまで、
前記蓄電池に充電する電力量を徐々に増加させる、
ことを特徴とする請求項３、請求項４又は請求項６に記載の電力供給システム。
【発明の詳細な説明】
【技術分野】
【０００１】
本発明は、電力を負荷へと供給する電力供給システムの技術に関する。
【背景技術】
【０００２】
従来、太陽光を利用して発電可能な発電部（太陽電池）と、電力を充放電可能な蓄電池（バッテリ）と、前記発電部からの電力の出力及び前記蓄電池の充放電を制御するパワーコンディショナと、を具備する電力供給システム（蓄電システム）の技術は公知となっている。例えば、特許文献１に記載の如くである。
【０００３】
特許文献１に記載の電力供給システムは、パワーコンディショナの制御によって、発電部や蓄電池からの電力を負荷へ供給したり、発電部からの電力を蓄電池に充電したり、発電部からの電力を系統電力へと売電したりして、発電部及び蓄電池を好適に連携させている。
【０００４】
しかしながら、特許文献１に記載の電力供給システムにおいては、発電部及び蓄電池が負荷よりも上流側に接続されている。したがって、例えば発電部からの電力を系統電力へ売電する必要がなく、発電部及び蓄電池を負荷よりも下流側に接続した場合に、発電部及び蓄電池をどのように連携させるかについては何ら開示されていない。
【先行技術文献】
【特許文献】
【０００５】
【特許文献１】特開２０１２−２５３８４９号公報
【発明の概要】
【発明が解決しようとする課題】
【０００６】
本発明は以上の如き状況に鑑みてなされたものであり、その解決しようとする課題は、発電部及び蓄電池を負荷よりも下流側に接続した場合に、発電部及び蓄電池を好適に連携させることができる電力供給システムを提供することである。
【課題を解決するための手段】
【０００７】
本発明の解決しようとする課題は以上の如くであり、次にこの課題を解決するための手段を説明する。
【０００８】
即ち、請求項１においては、負荷よりも上流側に接続されて負荷追従運転により発電可能な燃料電池と、前記負荷よりも下流側に接続されるパワーコンディショナと、前記パワーコンディショナを介して前記負荷よりも下流側に接続されて自然エネルギーを利用して発電可能な発電部と、前記パワーコンディショナを介して前記負荷よりも下流側に接続されて前記発電部からの電力を充放電可能な蓄電池と、前記パワーコンディショナを制御して前記発電部からの電力の出力及び前記蓄電池の充放電を行う制御部と、を具備する電力供給システムであって、前記制御部は、前記発電部で発電が行われている場合であって、且つ、前記燃料電池で発電が行われている場合であって、且つ、前記燃料電池で発電された電力だけでは前記負荷の消費電力を賄えなくなり、系統電力から電力が買電される場合には、前記発電部及び／又は前記蓄電池からの電力を前記負荷へと供給するものである。
【０００９】
請求項２においては、前記制御部は、前記発電部からの電力を前記蓄電池からの電力に優先して前記負荷へと供給し、前記発電部で発電された電力に余剰が生じた場合には、当該余剰した電力を前記蓄電池に充電するものである。
【００１０】
請求項３においては、負荷よりも上流側に接続されて負荷追従運転により発電可能な燃料電池と、前記負荷よりも下流側に接続されるパワーコンディショナと、前記パワーコンディショナを介して前記負荷よりも下流側に接続されて自然エネルギーを利用して発電可能な発電部と、前記パワーコンディショナを介して前記負荷よりも下流側に接続されて前記発電部からの電力を充放電可能な蓄電池と、前記パワーコンディショナを制御して前記発電部からの電力の出力及び前記蓄電池の充放電を行う制御部と、を具備する電力供給システムであって、前記制御部は、前記発電部で発電が行われている場合であって、且つ、前記燃料電池で発電が行われている場合であって、且つ、前記燃料電池で発電された電力だけで前記負荷の消費電力を賄えている場合には、前記発電部からの電力を前記蓄電池に充電するものである。
【００１１】
請求項４においては、前記制御部は、前記蓄電池が充電する電力を前記発電部で発電された電力よりも大きくし、前記燃料電池で発電される電力を前記負荷追従運転により所定の定格電力とするものである。
【００１２】
請求項５においては、負荷よりも上流側に接続されて負荷追従運転により発電可能な燃料電池と、前記負荷よりも下流側に接続されるパワーコンディショナと、前記パワーコンディショナを介して前記負荷よりも下流側に接続されて自然エネルギーを利用して発電可能な発電部と、前記パワーコンディショナを介して前記負荷よりも下流側に接続されて前記発電部からの電力を充放電可能な蓄電池と、前記パワーコンディショナを制御して前記発電部からの電力の出力及び前記蓄電池の充放電を行う制御部と、を具備する電力供給システムであって、前記制御部は、前記発電部で発電が行われている場合であって、且つ、前記燃料電池で発電が行われていない場合には、前記発電部からの電力を前記蓄電池からの電力に優先して前記負荷へと供給し、前記発電部で発電された電力だけでは前記負荷の消費電力を賄えなくなり、系統電力から電力が買電される場合には、前記蓄電池からの電力を前記負荷へと供給するものである。
【００１３】
請求項６においては、前記制御部は、前記発電部で発電された電力に余剰が生じた場合には、当該余剰した電力を前記蓄電池に充電するものである。
【００１４】
請求項７においては、前記制御部は、前記蓄電池に電力を充電する場合に、前記発電された電力だけでは前記負荷の消費電力を賄えなくなり、前記系統電力から電力が買電されるまで、前記蓄電池に充電する電力量を徐々に増加させるものである。
【発明の効果】
【００１５】
本発明の効果として、以下に示すような効果を奏する。
【００１６】
請求項１においては、燃料電池で発電が行われている場合であって、系統電力から電力が買電される場合に、発電部及び蓄電池を好適に連携させることができる。
【００１７】
請求項２においては、燃料電池で発電が行われている場合であって、系統電力から電力が買電される場合に、発電部で発電された電力を無駄なく活用することができる。
【００１８】
請求項３においては、燃料電池で発電が行われている場合であって、系統電力から電力が買電されていない場合に、発電部及び蓄電池を好適に連携させることができる。
【００１９】
請求項４においては、燃料電池で発電が行われている場合であって、系統電力から電力が買電されていない場合に、燃料電池の発電効率を向上させることができる。
【００２０】
請求項５においては、燃料電池で発電が行われていない場合に、発電部及び蓄電池を好適に連携させることができる。
【００２１】
請求項６においては、燃料電池で発電が行われていない場合に、発電部で発電された電力を無駄なく活用することができる。
【００２２】
請求項７においては、発電された電力を適切に活用することができる。
【図面の簡単な説明】
【００２３】
【図１】本発明の一実施形態に係る電力供給システムの構成を示したブロック図。
【図２】同じく、エコモードが実行される場合の制御部の処理を示したフローチャート。
【図３】同じく、図２の続きを示したフローチャート。
【図４】同じく、図３の続きを示したフローチャート。
【発明を実施するための形態】
【００２４】
以下では、図１を用いて、本発明に係る「電力供給システム」の一実施形態である電力供給システム１の構成について説明する。
【００２５】
電力供給システム１は、建築物（本実施形態においては住宅）に設けられ、系統電力３０や燃料電池４等からの電力を家庭内負荷２に供給するものである。電力供給システム１は、主として家庭内負荷２、第一電力経路３、燃料電池４、第二電力経路５、蓄電池６、太陽光発電部７、パワコン８、第三電力経路９、第四電力経路１０、第五電力経路１１、センサ部１２及び制御部１３を具備する。
【００２６】
家庭内負荷２は、住宅内で電力が消費される電化製品等が接続される回路である。家庭内負荷２は、例えば部屋ごとや、大きな電力を消費する機器専用のコンセントごとに設けられる。
【００２７】
第一電力経路３は、電力が流通可能な経路である。第一電力経路３は、導線等で構成される。第一電力経路３は、系統電力３０と家庭内負荷２とを接続する。
【００２８】
燃料電池４は、水素等の燃料を用いて発電する装置である。燃料電池４は、固体酸化物型の燃料電池（ＳＯＦＣ）である。燃料電池４は、複数日間に亘って運転（発電）可能である。燃料電池４は、メンテナンスを行う場合（例えば、２６日間のうち１日）を除き、通常は２４時間連続して（２５日間に亘って）運転される。燃料電池４は、図示せぬ貯湯ユニットを具備し、発電時に発生する熱を用いて当該貯湯ユニット内で湯を沸かすことができる。燃料電池４は、必要に応じて電力を発電する負荷追従運転可能に構成される。燃料電池４は、最大発電電力が７００Ｗに設定される。
【００２９】
第二電力経路５は、電力が流通可能な経路である。第二電力経路５は、導線等で構成される。第二電力経路５は、燃料電池４と第一電力経路３の中途部（以下では「接点３ａ」と称する）とを接続する。
【００３０】
蓄電池６は、電力を充放電可能に構成されるものである。蓄電池６は、リチウムイオン電池等により構成される。
【００３１】
太陽光発電部７は、太陽光を利用して発電する装置である。太陽光発電部７は、図示せぬ太陽電池パネル等により構成される。太陽光発電部７は、住宅の屋根の上等の日当たりの良い場所に設置される。
【００３２】
パワコン８は、いわゆるハイブリッドパワーコンディショナである。パワコン８は、蓄電池６と太陽光発電部７との間に接続される。パワコン８は、太陽光発電部７で発電された電力を出力し、家庭内負荷２に供給したり、蓄電池６に供給（充電）したりすることができる。また、パワコン８は、蓄電池６に充電された電力を出力（放電）し、家庭内負荷２に供給することができる。また、パワコン８は、系統電力３０や燃料電池４からの電力を蓄電池６に供給（充電）することができる。
【００３３】
第三電力経路９は、電力が流通可能な経路である。第三電力経路９は、導線等で構成される。第三電力経路９は、家庭内負荷２とパワコン８とを接続する。
【００３４】
第四電力経路１０は、電力が流通可能な経路である。第四電力経路１０は、導線等で構成される。第四電力経路１０は、太陽光発電部７とパワコン８とを接続する。
【００３５】
第五電力経路１１は、電力が流通可能な経路である。第五電力経路１１は、導線等で構成される。第五電力経路１１は、蓄電池６とパワコン８とを接続する。
【００３６】
センサ部１２は、電力供給システム１内の電力に関する情報を取得（検出）するものである。センサ部１２は、主として第一センサ２１、第二センサ２２、第三センサ２３及び第四センサ２４を具備する。
【００３７】
第一センサ２１は、第一電力経路３において接点３ａよりも上流側（系統電力３０側）に配置される。第一センサ２１は、系統電力３０から買電される電力や、系統電力３０へ売電される電力に関する情報を検出する。第一センサ２１は、制御部１３と接続される。第一センサ２１は、検出した情報を出力可能に構成される。
【００３８】
第二センサ２２は、第二電力経路５に配置される。第二センサ２２は、燃料電池４で発電された電力に関する情報を検出する。第二センサ２２は、制御部１３と接続される。第二センサ２２は、検出した情報を出力可能に構成される。
【００３９】
第三センサ２３は、第一電力経路３において接点３ａよりも下流側（家庭内負荷２側）に配置される。第三センサ２３は、家庭内負荷２に供給される電力（宅内に入る電力）に関する情報を検出する。第三センサ２３は、制御部１３と接続される。第三センサ２３は、検出した情報を出力可能に構成される。
【００４０】
第四センサ２４は、第四電力経路１０に配置される。第四センサ２４は、太陽光発電部７で発電された電力（出力可能な電力）に関する情報を検出する。第四センサ２４は、制御部１３と接続される。第四センサ２４は、検出した情報を出力可能に構成される。
【００４１】
制御部１３は、電力供給システム１内の情報を管理すると共に、当該電力供給システム１における電力の供給態様（例えば、パワコン８の動作等）を制御するものである。制御部１３は、ＲＡＭやＲＯＭ等の記憶部や、ＣＰＵ等の演算処理部等により構成される。制御部１３の記憶部には、電力供給システム１における電力の供給態様に関する情報が予め記憶されている。
【００４２】
また、制御部１３は、パワコン８と接続される。制御部１３は、パワコン８の動作を制御することによって、太陽光発電部７で発電された電力の出力や、蓄電池６に充電された電力の出力（放電）や、蓄電池６への電力の充電を制御することができる。また、制御部１３は、パワコン８を介して太陽光発電部７で発電された電力や、蓄電池６に充電された電力量に関する情報を取得することができる。
また、制御部１３は、センサ部１２（第一センサ２１、第二センサ２２、第三センサ２３及び第四センサ２４）と接続される。制御部１３は、センサ部１２の各センサで検出した情報を取得することができる。
【００４３】
以下では、電力供給システム１における電力の供給態様の概略について説明する。
【００４４】
系統電力３０からの電力は、第一電力経路３を介して家庭内負荷２に供給される。燃料電池４で発電された電力は、第二電力経路５及び第一電力経路３を介して家庭内負荷２に供給される。太陽光発電部７で発電された電力は、パワコン８の動作に応じて出力され、第四電力経路１０及び第三電力経路９を介して家庭内負荷２に供給されたり、第四電力経路１０及び第五電力経路１１を介して蓄電池６に供給（充電）されたりする。蓄電池６に充電された電力は、パワコン８の動作に応じて出力され、第五電力経路１１及び第三電力経路９を介して家庭内負荷２に供給される。
【００４５】
こうして、住宅の居住者は、系統電力３０や、燃料電池４、太陽光発電部７又は蓄電池６からの電力によって、照明を点灯させたり、調理器具やエアコンを使用したりすることができる。
【００４６】
また、電力供給システム１においては、家庭内負荷２に供給される電力として、系統電力３０からの電力だけでなく、燃料電池４や、太陽光発電部７及び蓄電池６からの電力を用いることができる。これによって、系統電力３０から買電される電力量を減らし、電力料金を節約することができる。
【００４７】
また、電力供給システム１においては、太陽光発電部７で発電された電力を優先的に蓄電池６に充電する（すなわち、太陽光発電部７で発電された電力を系統電力３０へ売電しない）ためのモード（以下では、「エコモード」と称する）が、予め設定されている。当該エコモードが実行されると、電力の供給態様が環境に優しいものとなる。
【００４８】
なお、電力供給システム１においては、エコモードを含めて種々のモードが予め設定されている。当該種々のモードに関する情報（プログラム等）は、制御部１３の記憶部に記憶されている。住宅の居住者は、前記種々のモードの中から、自らのライフスタイルに合ったモードを任意に選択することができる。
【００４９】
以下では、図２から図４までフローチャートを用いて、エコモードが実行される場合の制御部１３の処理について説明する。
【００５０】
ステップＳ１０１において、制御部１３は、蓄電池６が満充電であるか否かを判定する。
制御部１３は、蓄電池６が満充電であると判定した場合には、ステップＳ１１１へ移行する。
制御部１３は、蓄電池６が満充電ではないと判定した場合には、ステップＳ１０３へ移行する。
【００５１】
ステップＳ１１１において、制御部１３は、センサ部１２の第三センサ２３で検出した電力Ｗｃと、センサ部１２の第二センサ２２で検出した電力Ｗｂと、の差分（以下では「電力Ｗｄ」と称する）が、所定の放電閾値（本実施形態においては、２５０Ｗ）よりも大きいか否かを判定する。
制御部１３は、電力Ｗｄが２５０Ｗよりも大きいと判定した場合には、ステップＳ１１２へ移行する。
制御部１３は、電力Ｗｄが２５０Ｗ以下であると判定した場合には、ステップＳ１０２へ移行する。
【００５２】
なお、放電閾値としての２５０Ｗは一実施形態であり、当該放電閾値はこれに限定するものではない。具体的には、放電閾値は、少なくとも０（ゼロ）以上の数値、すなわち系統電力３０から電力が買電されている状態を示す数値であればよい。
【００５３】
ステップＳ１１２において、制御部１３は、系統電力３０からの電力、すなわちセンサ部１２の第一センサ２１で検出した電力Ｗａが１５０Ｗとなるように、蓄電池６から電力を放電する。
制御部１３は、ステップＳ１１２の処理を行った後、ステップＳ１０１へ移行する。
【００５４】
ステップＳ１０２において、制御部１３は、蓄電池６への電力の充電を停止する。
制御部１３は、ステップＳ１０２の処理の後、ステップＳ１０１へ移行する。
【００５５】
ステップＳ１０３において、制御部１３は、太陽光発電部７から電力を出力可能な状態であるか否か（太陽光発電部７で発電が行われているか否か）、すなわちセンサ部１２の第四センサ２４で検出した電圧Ｖｄが０（ゼロ）よりも大きいか否かを判定する。
制御部１３は、太陽光発電部７で発電が行われている場合、すなわちセンサ部１２の第四センサ２４で検出した電圧Ｖｄが０よりも大きいと判定した場合には、ステップＳ２０１へ移行する。
制御部１３は、太陽光発電部７で発電が行われていない場合、すなわちセンサ部１２の第四センサ２４で検出した電圧Ｖｄが０以下であると判定した場合には、ステップＳ１０４へ移行する。
【００５６】
ステップＳ１０４において、制御部１３は、燃料電池４で発電が行われているか否か、すなわちセンサ部１２の第二センサ２２で検出した電力Ｗｂが０（ゼロ）よりも大きいか否かを判定する。
制御部１３は、センサ部１２の第二センサ２２で検出した電力Ｗｂが０よりも大きいと判定した場合には、ステップＳ１０６へ移行する。
制御部１３は、センサ部１２の第二センサ２２で検出した電力Ｗｂが０以下であると判定した場合には、ステップＳ１０５へ移行する。
【００５７】
ステップＳ１０５において、制御部１３は、系統電力３０からの電力、すなわちセンサ部１２の第一センサ２１で検出した電力Ｗａが１５０Ｗとなるように、蓄電池６から電力を放電する。
制御部１３は、ステップＳ１０５の処理を行った後、ステップＳ１０１へ移行する。
【００５８】
なお、ステップＳ１０５の処理が行われる状態とは、太陽光発電部７で発電が行われていない状態（太陽光発電部７から電力を出力不能な状態）であり、且つ燃料電池４で発電が行われていない状態である。
【００５９】
このような状態において、家庭内負荷２で必要とする電力（消費電力）に対して蓄電池６から電力を放電した場合には、当該放電によって系統電力３０から家庭内負荷２に供給される電力量が減少する。すなわち、蓄電池６から電力を放電することによって、系統電力３０からの電力の買電を抑制することができる。また、系統電力３０から１５０Ｗの電力を買電することによって、蓄電池６から放電された電力が系統電力３０へと売電されるのを防止することができる。
【００６０】
なお、本実施形態では、ステップＳ１０５において、センサ部１２の第一センサ２１で検出した電力Ｗａが１５０Ｗとなるように蓄電池６から電力を放電するが、当該１５０Ｗは一例であり任意に変更することができる。
【００６１】
ステップＳ１０６において、制御部１３は、燃料電池４で発電された電力が４００Ｗよりも小さいか否か、すなわちセンサ部１２の第二センサ２２で検出した電力Ｗｂが４００Ｗよりも小さいか否かを判定する。
制御部１３は、センサ部１２の第二センサ２２で検出した電力Ｗｂが４００Ｗよりも小さいと判定した場合には、ステップＳ１０７へ移行する。
制御部１３は、センサ部１２の第二センサ２２で検出した電力Ｗｂが４００Ｗ以上であると判定した場合には、ステップＳ１０８へ移行する。
【００６２】
ステップＳ１０８において、制御部１３は、燃料電池４で発電された電力が７００Ｗよりも小さいか否か、すなわちセンサ部１２の第二センサ２２で検出した電力Ｗｂが７００Ｗよりも小さいか否かを判定する。
制御部１３は、センサ部１２の第二センサ２２で検出した電力Ｗｂが７００Ｗよりも小さいと判定した場合には、ステップＳ１０９へ移行する。
制御部１３は、センサ部１２の第二センサ２２で検出した電力Ｗｂが７００Ｗ以上であると判定した場合には、ステップＳ１１０へ移行する。
【００６３】
ステップＳ１０７において、制御部１３は、系統電力３０からの電力、すなわちセンサ部１２の第一センサ２１で検出した電力Ｗａが１００Ｗとなり、且つ第一電力経路３を介して家庭内負荷２に供給される電力（宅内に入る電力）、すなわちセンサ部１２の第三センサ２３で検出した電力Ｗｃが４００Ｗとなるように、蓄電池６に電力を充電する。
制御部１３は、ステップＳ１０７の処理を行った後、ステップＳ１０１へ移行する。
【００６４】
ステップＳ１０９において、制御部１３は、系統電力３０からの電力、すなわちセンサ部１２の第一センサ２１で検出した電力Ｗａが１００Ｗとなり、且つ第一電力経路３を介して家庭内負荷２に供給される電力（宅内に入る電力）、すなわちセンサ部１２の第三センサ２３で検出した電力Ｗｃが７００Ｗとなるように、蓄電池６に電力を充電する。
制御部１３は、ステップＳ１０９の処理を行った後、ステップＳ１０１へ移行する。
【００６５】
なお、ステップＳ１０７及びＳ１０９の処理が行われる状態とは、太陽光発電部７で発電が行われていない状態（太陽光発電部７から電力を出力不能な状態）であり、且つ燃料電池４で最大発電電力（７００Ｗ）よりも小さい電力が発電されている状態である。
【００６６】
このような状態において、燃料電池４で発電された電力が４００Ｗよりも小さい場合には、当該電力に基づいて蓄電池６に電力を充電し、燃料電池４の負荷追従運転によって当該燃料電池４で発電される電力を一定の定格電力（４００Ｗ）とする。また、燃料電池４で発電された電力が４００Ｗ以上であって７００Ｗよりも小さい場合には、当該電力に基づいて蓄電池６に電力を充電し、燃料電池４の負荷追従運転によって当該燃料電池４で発電される電力を一定の定格電力（７００Ｗ）とする。
【００６７】
ここで、例えば燃料電池４が負荷追従運転によって家庭内負荷２で必要とする電力（消費電力）を発電する場合には、前記消費電力が一定の値ではないために（小さくなったり、大きくなったりするために）当該燃料電池４の発電効率が低下する場合がある。しかしながら、ステップＳ１０７及びＳ１０９の処理により、燃料電池４で発電される電力を一定の定格電力とすることで、当該燃料電池４の発電効率の向上を図ることができる。
【００６８】
また、燃料電池４で発電された電力に基づいて２つの定格電力（４００Ｗ及び７００Ｗ）から適当な定格電力が選択されるため、例えば１つの定格電力（例えば、燃料電池４の最大発電電力である７００Ｗ）しか選択肢がない場合と比べて、燃料電池４の発電に使用される燃料の使用量を可及的に抑制しながら、燃料電池４からの電力を家庭内負荷２に供給することができる。
【００６９】
なお、本実施形態では、ステップＳ１０７及びＳ１０９において、センサ部１２の第三センサ２３で検出した電力Ｗｃが４００Ｗ又は７００Ｗとなるように、蓄電池６に電力を充電するが、当該４００Ｗ及び７００Ｗは一例であり任意に変更することができる。
【００７０】
ステップＳ１１０において、制御部１３は、系統電力３０からの電力、すなわちセンサ部１２の第一センサ２１で検出した電力Ｗａが１００Ｗとなり、且つ第一電力経路３を介して家庭内負荷２に供給される電力（宅内に入る電力）、すなわちセンサ部１２の第三センサ２３で検出した電力Ｗｃが７００Ｗとなるように、蓄電池６から電力を放電する。
制御部１３は、ステップＳ１１０の処理を行った後、ステップＳ１０１へ移行する。
【００７１】
なお、ステップＳ１１０の処理が行われる状態とは、太陽光発電部７で発電が行われていない状態（太陽光発電部７から電力を出力不能な状態）であり、且つ燃料電池４で最大発電電力の電力が発電されている状態である。このような状態においては、燃料電池４で発電された電力が家庭内負荷２に供給されているものの、家庭内負荷２で必要とする電力（消費電力）に対して電力が不足し、当該不足した電力が系統電力３０から買電されている可能性がある。
【００７２】
このような状態において、家庭内負荷２に蓄電池６から電力を放電した場合には、当該放電によって系統電力３０から家庭内負荷２に供給される電力量が減少する。すなわち、蓄電池６から電力を放電することによって、系統電力３０から電力が買電されている場合であっても、当該買電を抑制することができる。また、系統電力３０から１００Ｗの電力を買電することによって、蓄電池６から放電された電力が系統電力３０へと売電されるのを防止することができる。
【００７３】
なお、本実施形態では、ステップＳ１１０において、センサ部１２の第一センサ２１で検出した電力Ｗａが１００Ｗとなるように蓄電池６から電力を放電するが、当該１００Ｗは一例であり任意に変更することができる。
【００７４】
ステップＳ１０３から移行したステップＳ２０１において、制御部１３は、燃料電池４で発電が行われているか否か、すなわちセンサ部１２の第二センサ２２で検出した電力Ｗｂが０（ゼロ）よりも大きいか否かを判定する。
制御部１３は、センサ部１２の第二センサ２２で検出した電力Ｗｂが０よりも大きいと判定した場合には、ステップＳ２１０へ移行する。
制御部１３は、センサ部１２の第二センサ２２で検出した電力Ｗｂが０以下であると判定した場合には、ステップＳ２０２へ移行する。
【００７５】
ステップＳ２０２において、制御部１３は、系統電力３０へと電力が売電されているか否か、すなわちセンサ部１２の第一センサ２１で検出した電力Ｗａが０（ゼロ）よりも小さいか否かを判定する。
制御部１３は、系統電力３０へと電力が売電されている場合、すなわちセンサ部１２の第一センサ２１で検出した電力Ｗａが０よりも小さいと判定した場合には、ステップＳ２０４へ移行する。
制御部１３は、系統電力３０へと電力が売電されていない場合、すなわちセンサ部１２の第一センサ２１で検出した電力Ｗａが０以上であると判定した場合には、ステップＳ２０３へ移行する。
【００７６】
ステップＳ２０３において、制御部１３は、系統電力３０からの電力、すなわちセンサ部１２の第一センサ２１で検出した電力Ｗａが１５０Ｗとなるように、蓄電池６から電力を放電する。
制御部１３は、ステップＳ２０３の処理を行った後、ステップＳ１０１へ移行する。
【００７７】
なお、ステップＳ２０３の処理が行われる状態とは、太陽光発電部７で発電が行われている状態（太陽光発電部７から電力を出力可能な状態）であり、且つ燃料電池４で電力が発電されていない状態であり、且つ系統電力３０へと電力が売電されていない状態である。この状態においては、太陽光発電部７で発電された電力の全てが家庭内負荷２に供給されているものの、家庭内負荷２で必要とする電力（消費電力）に対して電力が不足し、当該不足した電力が系統電力３０から買電されている可能性がある。
【００７８】
このような状態において、家庭内負荷２で必要とする電力（消費電力）に対して蓄電池６から電力を放電した場合には、当該放電によって系統電力３０から家庭内負荷２に供給される電力量が減少する。すなわち、蓄電池６から電力を放電することによって、系統電力３０からの電力の買電を抑制することができる。また、系統電力３０から１５０Ｗの電力を買電することによって、蓄電池６から放電された電力が系統電力３０へと売電されるのを防止することができる。
【００７９】
なお、本実施形態では、ステップＳ２０３において、センサ部１２の第一センサ２１で検出した電力Ｗａが１５０Ｗとなるように蓄電池６から電力を放電するが、当該１５０Ｗは一例であり任意に変更することができる。
【００８０】
ステップＳ２０２から移行したステップＳ２０４において、制御部１３は、蓄電池６が充電する電力量を、現状から１００Ｗだけ増加させる。
制御部１３は、ステップＳ２０４の処理を行った後、ステップＳ２０５へ移行する。
【００８１】
なお、ステップＳ２０４の処理が行われる状態とは、太陽光発電部７で発電が行われている状態（太陽光発電部７から電力を出力可能な状態）であり、且つ燃料電池４で電力が発電されていない状態であり、且つ系統電力３０へと電力が売電されている状態である。この状態においては、太陽光発電部７で発電された電力が家庭内負荷２に供給されたうえで、家庭内負荷２で必要とする電力（消費電力）に対して太陽光発電部７で出力可能な電力が大きい（余剰している）可能性がある。
【００８２】
このような状態において、蓄電池６が充電する電力量を現状から１００Ｗだけ増加させた場合、例えば家庭内負荷２で必要とする電力（消費電力）に対して太陽光発電部７で出力可能な電力が大きい（余剰している）場合には、当該余剰した電力を蓄電池６に充電させることができる。
【００８３】
なお、本実施形態では、ステップＳ２０４において、蓄電池６が充電する電力を現状から１００Ｗだけ増加させるが、当該１００Ｗは一例であり任意に変更することができる。
【００８４】
ステップＳ２０５において、制御部１３は、系統電力３０へと電力が売電されているか否か、すなわちセンサ部１２の第一センサ２１で検出した電力Ｗａが０（ゼロ）よりも小さいか否かを判定する。
制御部１３は、系統電力３０へと電力が売電されている場合、すなわちセンサ部１２の第一センサ２１で検出した電力Ｗａが０よりも小さいと判定した場合には、ステップＳ２０４へ移行する。
制御部１３は、系統電力３０へと電力が売電されていない場合、すなわちセンサ部１２の第一センサ２１で検出した電力Ｗａが０以上であると判定した場合には、ステップＳ２０６へ移行する。
【００８５】
ステップＳ２０６において、制御部１３は、蓄電池６が充電する電力量を、現状から１００Ｗだけ減少させる。
制御部１３は、ステップＳ２０６の処理を行った後、ステップＳ２０７へ移行する。
【００８６】
なお、ステップＳ２０６の処理が行われる状態とは、太陽光発電部７で発電が行われている状態（太陽光発電部７から電力を出力可能な状態）であり、且つ燃料電池４で電力が発電されていない状態であり、且つ系統電力３０へと電力が売電されていない状態であり、且つ蓄電池６に太陽光発電部７からの電力が充電されている状態（ステップＳ２０４参照）である。この状態においては、太陽光発電部７で発電された電力が家庭内負荷２に供給されているものの、太陽光発電部７で出力可能な電力の一部が蓄電池６に充電されているため、家庭内負荷２で必要とする電力（消費電力）に対して電力が不足し、当該不足した電力が系統電力３０から買電されている可能性がある。
【００８７】
このような状態において、蓄電池６が充電する電力量を現状から１００Ｗだけ減少させた場合、蓄電池６に充電されていた太陽光発電部７からの電力のうち１００Ｗを家庭内負荷２に供給することができる。すなわち、前記不足した電力に対して太陽光発電部７からの電力を供給することができるため、系統電力３０から電力が買電されている場合であっても、当該買電を抑制することができる。
【００８８】
なお、本実施形態では、ステップＳ２０６において、蓄電池６が充電する電力を現状から１００Ｗだけ減少させるが、当該１００Ｗは一例であり任意に変更することができる。
【００８９】
ステップＳ２０７において、制御部１３は、太陽光発電部７から電力を出力可能な状態であるか否か（太陽光発電部７で発電が行われているか否か）、すなわちセンサ部１２の第四センサ２４で検出した電圧Ｖｄが０（ゼロ）よりも大きいか否かを判定する。
制御部１３は、センサ部１２の第四センサ２４で検出した電圧Ｖｄが０よりも大きいと判定した場合には、ステップＳ２０５へ移行する。
制御部１３は、センサ部１２の第四センサ２４で検出した電圧Ｖｄが０以下であると判定した場合には、ステップＳ１０４へ移行する。
【００９０】
このように、太陽光発電部７で発電が行われている状態（太陽光発電部７から電力を出力可能な状態）であり、且つ燃料電池４で電力が発電されていない状態であり、且つ系統電力３０へと電力が売電されている状態と一旦なった場合（ステップＳ２０４へ一旦移行した場合）には、系統電力３０へと電力が売電されているか否かの判定（ステップＳ２０５参照）、及び太陽光発電部７から電力を出力可能な状態であるか否か（太陽光発電部７で発電が行われているか否か）の判定（ステップＳ２０７参照）に基づいて、蓄電池６が充電する電力量を現状から１００Ｗだけ徐々に増加させたり（ステップＳ２０４参照）、蓄電池６が充電する電力量を現状から１００Ｗだけ減少させたりする（ステップＳ２０６参照）。
【００９１】
これによって、太陽光発電部７で発電された電力を、家庭内負荷２で必要とする電力（消費電力）に対して可及的に過不足なく当該家庭内負荷２に供給すると共に、家庭内負荷２で必要とする電力（消費電力）に対して太陽光発電部７で出力可能な電力が大きい（余剰している）場合には、当該余剰した電力を系統電力３０へと売電することなく蓄電池６に充電させることができる。すなわち、太陽光発電部７からの電力を適切に活用することができる。
【００９２】
ここで、本実施形態において、太陽光発電部７は、電力を出力可能な状態である場合であっても、出力可能な電力量が不明な構成となっている。しかしながら、蓄電池６が充電する電力量を現状から１００Ｗだけ徐々に増加させたり（ステップＳ２０４参照）、蓄電池６が充電する電力量を現状から１００Ｗだけ減少させたりする（ステップＳ２０６参照）ことによって、太陽光発電部７の出力可能な電力量が不明な場合であっても、太陽光発電部７からの電力を適切に活用することができる。
【００９３】
なお、ステップＳ２０４へ一旦移行した場合に、蓄電池６が充電する電力量を現状から１００Ｗだけ増加させたり（ステップＳ２０４参照）、蓄電池６が充電する電力量を現状から１００Ｗだけ減少させたり（ステップＳ２０６参照）した結果（現状の電力）に関する情報は、制御部１３に記憶される。制御部１３に記憶された前記情報は、ステップＳ２０７からステップＳ１０４へ移行した場合にリセットされる。
【００９４】
ステップＳ２０１から移行したステップＳ２１０において、制御部１３は、第一電力経路３を介して家庭内負荷２に供給される電力（宅内に入る電力）と、燃料電池４で発電された電力と、が同一であるか否か、すなわちセンサ部１２の第三センサ２３で検出した電力Ｗｃと、センサ部１２の第二センサ２２で検出した電力Ｗｂと、が同一であるか否かを判定する。
制御部１３は、宅内に入る電力と燃料電池４で発電された電力とが同一である場合、すなわちセンサ部１２の第三センサ２３で検出した電力Ｗｃと、センサ部１２の第二センサ２２で検出した電力Ｗｂと、が同一であると判定した場合には、ステップＳ２１１へ移行する。
制御部１３は、宅内に入る電力と燃料電池４で発電された電力とが同一ではない場合、すなわちセンサ部１２の第三センサ２３で検出した電力Ｗｃと、センサ部１２の第二センサ２２で検出した電力Ｗｂと、が同一ではないと判定した場合には、ステップＳ２２０へ移行する。
【００９５】
ステップＳ２２０において、制御部１３は、系統電力３０からの電力、すなわちセンサ部１２の第一センサ２１で検出した電力Ｗａが１５０Ｗとなるように、太陽光発電部７や蓄電池６からの電力（パワコン８から出力された電力）を家庭内負荷２に供給する。
制御部１３は、ステップＳ２２０の処理を行った後、ステップＳ１０１へ移行する。
【００９６】
なお、ステップＳ２２０の処理が行われる状態とは、太陽光発電部７で発電が行われている状態（太陽光発電部７から電力を出力可能な状態）であり、且つ燃料電池４で電力が発電されている状態であり、且つ第一電力経路３を介して家庭内負荷２に供給される電力（宅内に入る電力）と燃料電池４で発電された電力とが同一でない状態である。この状態においては、燃料電池４の最大発電電力の電力が家庭内負荷２に供給されているものの、家庭内負荷２で必要とする電力（消費電力）に対して電力が不足し、当該不足した電力が系統電力３０から買電されている可能性がある。
【００９７】
このような状態において、家庭内負荷２で必要とする電力（消費電力）に対して太陽光発電部７や蓄電池６から電力を供給した場合には、当該供給によって系統電力３０から家庭内負荷２に供給される電力量が減少する。すなわち、太陽光発電部７や蓄電池６から電力を供給することによって、系統電力３０からの電力の買電を抑制することができる。また、系統電力３０から１５０Ｗの電力を買電することによって、蓄電池６から放電された電力が系統電力３０へと売電されるのを防止することができる。
【００９８】
なお、ステップＳ２２０の処理によってパワコン８から電力を出力する（太陽光発電部７や蓄電池６からの電力を家庭内負荷２に供給する）場合には、当該パワコン８の動作により、太陽光発電部７からの電力が優先される。こうして、太陽光発電部７で発電された電力を優先して家庭内負荷２に供給することによって、電力の供給態様を環境に優しいものとすることができる。
【００９９】
また、太陽光発電部７からの電力を優先して家庭内負荷２に供給した場合であって、当該太陽光発電部７で発電された電力に余剰が生じた場合には、当該余剰した電力を蓄電池６に充電する。こうして、太陽光発電部７で発電された電力を無駄なく活用することができる。
【０１００】
ステップＳ２１０から移行したステップＳ２１１において、制御部１３は、燃料電池４で発電された電力が４００Ｗよりも小さいか否か、すなわちセンサ部１２の第二センサ２２で検出した電力Ｗｂが４００Ｗよりも小さいか否かを判定する。
制御部１３は、センサ部１２の第二センサ２２で検出した電力Ｗｂが４００Ｗよりも小さいと判定した場合には、ステップＳ２１２へ移行する。
制御部１３は、センサ部１２の第二センサ２２で検出した電力Ｗｂが４００Ｗ以上であると判定した場合には、ステップＳ２１３へ移行する。
【０１０１】
ステップＳ２１３において、制御部１３は、燃料電池４で発電された電力が７００Ｗよりも小さいか否か、すなわちセンサ部１２の第二センサ２２で検出した電力Ｗｂが７００Ｗよりも小さいか否かを判定する。
制御部１３は、センサ部１２の第二センサ２２で検出した電力Ｗｂが７００Ｗよりも小さいと判定した場合には、ステップＳ２１４へ移行する。
制御部１３は、センサ部１２の第二センサ２２で検出した電力Ｗｂが７００Ｗ以上であると判定した場合には、ステップＳ２１５へ移行する。
【０１０２】
ステップＳ２１１から移行したステップＳ２１２において、制御部１３は、蓄電池６が充電する電力を算出すると共に、当該算出した電力を蓄電池６に充電する。
ステップＳ２１２において、蓄電池６が充電する電力は、「４００Ｗ−電力Ｗｂ（燃料電池４で発電された電力）＋１００Ｗ」の数式（１）を用いて算出される。
制御部１３は、ステップＳ２１２の処理を行った後、ステップＳ３０１へ移行する。
【０１０３】
ステップＳ２１３から移行したステップＳ２１４において、制御部１３は、蓄電池６が充電する電力を算出すると共に、当該算出した電力を蓄電池６に充電する。
ステップＳ２１４において、蓄電池６が充電する電力は、「７００Ｗ−電力Ｗｂ（燃料電池４で発電された電力）＋１００Ｗ」の数式（２）を用いて算出される。
制御部１３は、ステップＳ２１４の処理を行った後、ステップＳ３０１へ移行する。
【０１０４】
ステップＳ２１３から移行したステップＳ２１５において、制御部１３は、蓄電池６が充電する電力量を、現状から１００Ｗだけ増加させる。
制御部１３は、ステップＳ２１５の処理を行った後、ステップＳ３０１へ移行する。
【０１０５】
なお、ステップＳ２１２、Ｓ２１４及びＳ２１５の処理が行われる状態とは、太陽光発電部７で発電が行われている状態（太陽光発電部７から電力を出力可能な状態）であり、且つ燃料電池４で電力が発電されている状態であり、且つ第一電力経路３を介して家庭内負荷２に供給される電力（宅内に入る電力）と燃料電池４で発電された電力とが同一である状態である。この状態においては、家庭内負荷２で必要とする電力（消費電力）が燃料電池４で発電された電力だけで賄われており、太陽光発電部７で発電された電力を家庭内負荷２に供給せずに蓄電池６に充電できる可能性がある。
【０１０６】
このような状態においては、太陽光発電部７で発電された電力を蓄電池６に充電すると共に、燃料電池４で発電される電力を一定の定格電力（本実施形態においては、ステップＳ１０７及びＳ１０９の処理が行われた場合と同様に、４００Ｗ又は７００Ｗ）とすることが望ましい。
【０１０７】
ここで、太陽光発電部７は、前述したように、出力可能な電力量が不明な構成となっている。そこで、ステップＳ２１２、Ｓ２１４及びＳ２１５の処理（さらには、後述するステップＳ３０１からＳ３０５までの処理）は、燃料電池４で発電される電力を一定の定格電力としながら、太陽光発電部７の出力可能な電力量が不明な場合であっても、当該太陽光発電部７からの電力を適切に活用するために行われる。なお、太陽光発電部７からの電力を適切に活用する具体的な説明は後述する。
【０１０８】
ステップＳ３０１において、制御部１３は、燃料電池４で発電された電力が７００Ｗよりも大きいか否か、すなわちセンサ部１２の第二センサ２２で検出した電力Ｗｂが７００Ｗよりも大きいか否かを判定する。
制御部１３は、センサ部１２の第二センサ２２で検出した電力Ｗｂが７００Ｗよりも大きいと判定した場合には、ステップＳ３０２へ移行する。
制御部１３は、センサ部１２の第二センサ２２で検出した電力Ｗｂが７００Ｗ以下であると判定した場合には、ステップＳ１０１へ移行する。
【０１０９】
ステップＳ３０２において、制御部１３は、第一電力経路３を介して家庭内負荷２に供給される電力（宅内に入る電力）と、燃料電池４で発電された電力と、が同一であるか否か、すなわちセンサ部１２の第三センサ２３で検出した電力Ｗｃと、センサ部１２の第二センサ２２で検出した電力Ｗｂと、が同一であるか否かを判定する。
制御部１３は、宅内に入る電力と燃料電池４で発電された電力とが同一である場合、すなわちセンサ部１２の第三センサ２３で検出した電力Ｗｃと、センサ部１２の第二センサ２２で検出した電力Ｗｂと、が同一であると判定した場合には、ステップＳ３０５へ移行する。
制御部１３は、宅内に入る電力と燃料電池４で発電された電力とが同一ではない場合、すなわちセンサ部１２の第三センサ２３で検出した電力Ｗｃと、センサ部１２の第二センサ２２で検出した電力Ｗｂと、が同一ではないと判定した場合には、ステップＳ３０３へ移行する。
【０１１０】
ステップＳ３０５において、制御部１３は、蓄電池６が充電する電力量を、現状から１００Ｗだけ増加させる。
制御部１３は、ステップＳ３０５の処理を行った後、ステップＳ３０１へ移行する。
【０１１１】
なお、ステップＳ３０５の処理が行われる状態とは、太陽光発電部７で発電が行われている状態（太陽光発電部７から電力を出力可能な状態）であり、且つ燃料電池４で電力が発電されている状態であり、且つ第一電力経路３を介して家庭内負荷２に供給される電力（宅内に入る電力）と燃料電池４で発電された電力とが同一である状態である。この状態においては、家庭内負荷２で必要とする電力（消費電力）が燃料電池４で発電された電力だけで賄われており、太陽光発電部７で発電された電力を家庭内負荷２に供給せずに蓄電池６に充電できる可能性がある。
【０１１２】
このような状態において、蓄電池６が充電する電力量を現状から１００Ｗだけ増加させた場合、太陽光発電部７で出力可能な電力をさらに蓄電池６に充電させることができる。
【０１１３】
ステップＳ３０３において、制御部１３は、蓄電池６が充電する電力量を、現状から１００Ｗだけ減少させる。
制御部１３は、ステップＳ３０３の処理を行った後、ステップＳ３０４へ移行する。
【０１１４】
なお、ステップＳ３０４の処理が行われる状態とは、太陽光発電部７で発電が行われている状態（太陽光発電部７から電力を出力可能な状態）であり、且つ燃料電池４で電力が発電されている状態であり、且つ第一電力経路３を介して家庭内負荷２に供給される電力（宅内に入る電力）と燃料電池４で発電された電力とが同一ではない状態である。この状態においては、燃料電池４の最大発電電力の電力が家庭内負荷２に供給されているものの、家庭内負荷２で必要とする電力（消費電力）に対して電力が不足し、当該不足した電力が系統電力３０から買電されている可能性がある。
【０１１５】
このような状態において、蓄電池６が充電する電力量を現状から１００Ｗだけ減少させた場合、蓄電池６に充電されていた太陽光発電部７からの電力のうち１００Ｗを家庭内負荷２に供給することができる。すなわち、前記不足した電力に対して太陽光発電部７からの電力を供給することができるため、系統電力３０から電力が買電されている場合であっても、当該買電を抑制することができる。
【０１１６】
ステップＳ３０４において、制御部１３は、太陽光発電部７から電力を出力可能な状態であるか否か（太陽光発電部７で発電が行われているか否か）、すなわちセンサ部１２の第四センサ２４で検出した電圧Ｖｄが０（ゼロ）よりも大きいか否かを判定する。
制御部１３は、センサ部１２の第四センサ２４で検出した電圧Ｖｄが０よりも大きいと判定した場合には、ステップＳ３０１へ移行する。
制御部１３は、センサ部１２の第四センサ２４で検出した電圧Ｖｄが０以下であると判定した場合には、ステップＳ１０４へ移行する。
【０１１７】
このように、太陽光発電部７で発電が行われている状態（太陽光発電部７から電力を出力可能な状態）であり、且つ燃料電池４で電力が発電されている状態であり、且つ第一電力経路３を介して家庭内負荷２に供給される電力（宅内に入る電力）と燃料電池４で発電された電力とが同一である状態と一旦なった場合（ステップＳ２１１へ一旦移行した場合）には、所定の数式を用いて算出された電力等を蓄電池６に充電させた後（ステップＳ２１２や、Ｓ２１４、Ｓ２１５へ移行した後）、燃料電池４で発電された電力が７００Ｗよりも大きいか否かの判定（ステップＳ３０１参照）、第一電力経路３を介して家庭内負荷２に供給される電力（宅内に入る電力）と燃料電池４で発電された電力とが同一であるか否かの判定（ステップＳ３０２参照）及び太陽光発電部７から電力を出力可能な状態であるか否か（太陽光発電部７で発電が行われているか否か）の判定（ステップＳ３０４参照）に基づいて、蓄電池６が充電する電力量を現状から１００Ｗだけ徐々に増加させたり（ステップＳ３０５参照）、蓄電池６が充電する電力量を現状から１００Ｗだけ減少させたりする（ステップＳ３０３参照）。
【０１１８】
これによって、太陽光発電部７で発電された電力を、家庭内負荷２で必要とする電力（消費電力）に対して可及的に過不足なく当該家庭内負荷２に供給すると共に、家庭内負荷２で必要とする電力（消費電力）に対して太陽光発電部７で出力可能な電力が大きい（余剰している）場合には、当該余剰した電力を系統電力３０へと売電することなく蓄電池６に充電させることができる。すなわち、太陽光発電部７からの電力を適切に活用することができる。
【０１１９】
また、蓄電池６が充電する電力量を現状から１００Ｗだけ増加させたり（ステップＳ３０５参照）、蓄電池６が充電する電力量を現状から１００Ｗだけ減少させたりする（ステップＳ３０３参照）ことによって、太陽光発電部７の出力可能な電力量が不明な場合であっても、太陽光発電部７からの電力を適切に活用することができる。
【０１２０】
なお、ステップＳ２１１へ一旦移行した場合に、蓄電池６が充電する電力量を現状から１００Ｗだけ増加させたり（ステップＳ３０５参照）、蓄電池６が充電する電力量を現状から１００Ｗだけ減少させたり（ステップＳ３０３参照）した結果（現状の電力）に関する情報は、制御部１３に記憶される。制御部１３に記憶された前記情報は、ステップＳ３０４からステップＳ１０４へ移行した場合にリセットされる。
【０１２１】
以上のように、本発明に係る電力供給システムの一実施形態である電力供給システム１においては、
家庭内負荷２よりも上流側に接続されて負荷追従運転により発電可能な燃料電池４と、
前記家庭内負荷２よりも下流側に接続されるパワコン８と、
前記パワコン８を介して前記家庭内負荷２よりも下流側に接続されて自然エネルギーを利用して発電可能な太陽光発電部７と、
前記パワコン８を介して前記家庭内負荷２よりも下流側に接続されて前記太陽光発電部７からの電力を充放電可能な蓄電池６と、
前記パワコン８を制御して前記太陽光発電部７からの電力の出力及び前記蓄電池６の充放電を行う制御部１３と、
を具備する電力供給システムであって、
前記制御部１３は、
前記太陽光発電部７で発電が行われている場合であって、
且つ、前記燃料電池４で発電が行われている場合であって、
且つ、前記燃料電池４で発電された電力だけでは前記家庭内負荷２の消費電力を賄えなくなり、系統電力３０から電力が買電される場合には、
前記太陽光発電部７及び／又は前記蓄電池６からの電力を前記家庭内負荷２へと供給するものである。
【０１２２】
このような構成により、燃料電池４で発電が行われている場合であって、系統電力３０から電力が買電される場合に、太陽光発電部７及び蓄電池６を好適に連携させることができる。
具体的には、太陽光発電部７及び蓄電池６の連携により、太陽光発電部７で発電された電力を系統電力３０へ売電せず、住宅内で使用することができるため、電力の供給態様を環境に優しいものとすることができる。
【０１２３】
また、電力供給システム１においては、
前記制御部１３は、
前記太陽光発電部７からの電力を前記蓄電池６からの電力に優先して前記家庭内負荷２へと供給し、
前記太陽光発電部７で発電された電力に余剰が生じた場合には、当該余剰した電力を前記蓄電池６に充電するものである。
【０１２４】
このような構成により、燃料電池４で発電が行われている場合であって、系統電力３０から電力が買電される場合に、太陽光発電部７で発電された電力を無駄なく活用することができる。
【０１２５】
また、電力供給システム１においては、
家庭内負荷２よりも上流側に接続されて負荷追従運転により発電可能な燃料電池４と、
前記家庭内負荷２よりも下流側に接続されるパワコン８と、
前記パワコン８を介して前記家庭内負荷２よりも下流側に接続されて自然エネルギーを利用して発電可能な太陽光発電部７と、
前記パワコン８を介して前記家庭内負荷２よりも下流側に接続されて前記太陽光発電部７からの電力を充放電可能な蓄電池６と、
前記パワコン８を制御して前記太陽光発電部７からの電力の出力及び前記蓄電池６の充放電を行う制御部１３と、
を具備する電力供給システムであって、
前記制御部１３は、
前記太陽光発電部７で発電が行われている場合であって、
且つ、前記燃料電池４で発電が行われている場合であって、
且つ、前記燃料電池４で発電された電力だけで前記家庭内負荷２の消費電力を賄えている場合には、
前記太陽光発電部７からの電力を前記蓄電池６に充電するものである。
【０１２６】
このような構成により、燃料電池４で発電が行われている場合であって、系統電力から電力が買電されていない場合に、太陽光発電部７及び蓄電池６を好適に連携させることができる。具体的には、太陽光発電部７で発電された電力を無駄なく活用することができる。
【０１２７】
また、電力供給システム１においては、
前記制御部１３は、
前記蓄電池６が充電する電力を前記燃料電池４で発電された電力よりも大きくし、前記太陽光発電部７で発電される電力を前記負荷追従運転により所定の定格電力（４００Ｗ又は７００Ｗ）とするものである。
【０１２８】
このような構成により、燃料電池４で発電が行われている場合であって、系統電力から電力が買電されていない場合に、燃料電池４の発電効率を向上させることができる。
【０１２９】
また、電力供給システム１においては、
家庭内負荷２よりも上流側に接続されて負荷追従運転により発電可能な燃料電池４と、
前記家庭内負荷２よりも下流側に接続されるパワコン８と、
前記パワコン８を介して前記家庭内負荷２よりも下流側に接続されて自然エネルギーを利用して発電可能な太陽光発電部７と、
前記パワコン８を介して前記家庭内負荷２よりも下流側に接続されて前記太陽光発電部７からの電力を充放電可能な蓄電池６と、
前記パワコン８を制御して前記太陽光発電部７からの電力の出力及び前記蓄電池６の充放電を行う制御部１３と、
を具備する電力供給システムであって、
前記制御部１３は、
前記太陽光発電部７で発電が行われている場合であって、
且つ、前記燃料電池４で発電が行われていない場合には、
前記太陽光発電部７からの電力を前記蓄電池６からの電力に優先して前記家庭内負荷２へと供給し、
前記燃料電池４で発電された電力だけでは前記家庭内負荷２の消費電力を賄えなくなり、系統電力３０から電力が買電される場合には、
前記蓄電池６からの電力を前記家庭内負荷２へと供給するものである。
【０１３０】
このような構成により、燃料電池４で発電が行われていない場合に、太陽光発電部７及び蓄電池６を好適に連携させることができる。
【０１３１】
また、電力供給システム１においては、
前記制御部１３は、
前記太陽光発電部７で発電された電力に余剰が生じた場合には、当該余剰した電力を前記蓄電池６に充電するものである。
【０１３２】
このような構成により、燃料電池４で発電が行われていない場合に、太陽光発電部７で発電された電力を無駄なく活用することができる。
【０１３３】
また、電力供給システム１においては、
前記制御部１３は、
前記蓄電池６に電力を充電する場合に、
前記発電された電力だけでは前記家庭内負荷２の消費電力を賄えなくなり、前記系統電力３０から電力が買電されるまで、
前記蓄電池６に充電する電力量を徐々に増加させるものである。
【０１３４】
このような構成により、発電された電力を適切に活用することができる。具体的には、例えば燃料電池４で発電が行われている場合であって、太陽光発電部７で出力可能な電力量が不明なような場合であっても、当該太陽光発電部７で発電された電力を適切に活用することができる。
【０１３５】
なお、本実施形態に係る電力供給システム１は、本発明に係る電力供給システムの一実施形態である。
また、本実施形態に係る系統電力３０は、本発明に係る系統電力の一実施形態である。
また、本実施形態に係る家庭内負荷２は、本発明に係る負荷の一実施形態である。
また、本実施形態に係る燃料電池４は、本発明に係る燃料電池の一実施形態である。
また、本実施形態に係る蓄電池６は、本発明に係る蓄電池の一実施形態である。
また、本実施形態に係る太陽光発電部７は、本発明に係る発電部の一実施形態である。
また、本実施形態に係るパワコン８は、本発明に係るパワーコンディショナの一実施形態である。
また、本実施形態に係る制御部１３は、本発明に係る制御部の一実施形態である。
【０１３６】
なお、本実施形態において電力供給システム１は住宅に設けられているが、本発明に係る電力供給システムは、住宅だけでなく、店舗やオフィスビル、マンション等、種々の建築物に採用することができる。
【０１３７】
また、本実施形態においては、太陽光発電部７は、電力を出力可能な状態である場合であっても、出力可能な電力量が不明な構成となっているが、これに限定するものではない。すなわち、太陽光発電部７で出力可能な電力量を検出するためのセンサを設ける構成であってもよい。
【０１３８】
また、本発明に係る発電部は、自然エネルギーとして太陽光を利用する構成としたが、これに限定するものではない。本発明に係る「発電部」は、自然エネルギーとして、例えば水力、風力、潮力等を利用する構成であってもよい。
【０１３９】
また、本発明に係る制御部は、制御部１３に限定するものではなく、例えば図示せぬホームサーバ等の制御手段や、スイッチ部、蓄電池６の制御部、燃料電池４の制御部等により構成されるものでもよい。
【０１４０】
また、本発明に係る燃料電池は、燃料電池４（ＳＯＦＣ）に限定するものではなく、例えば、ＰＥＦＣ（固体高分子形燃料電池）等、種々の方式のものを用いることが可能である。
【符号の説明】
【０１４１】
１    電力供給システム
２    家庭内負荷
４    燃料電池
６    蓄電池
７    太陽光発電部
８    パワコン
１３  制御部
【図１】
2016052156.tif 000003
【図２】
2016052156.tif 000004
【図３】
2016052156.tif 000005
【図４】
2016052156.tif 000006